(57)【要約】      （修正有）【課題】仕立てた着物の身幅に着用者の身体の胴回りの太さに関係なく綺麗に着付けるための重要な要素である背中心を正確に合わせること、衿元を揃えること、更には、裾搾りの褄先上がりにすること、更に、着用後の着崩れの心配のない着付けが行える着物の改良に関するものであり、特に着用者の身体に身幅が一致していない着物の場合にも更に綺麗に着付けのできる着物を提供する。【解決手段】後身頃における所定の高さ位置に所定長さを有する２ないし３本の胸紐７，８が固着されているとともに、胸紐７，８は１本が長さ方向の中心を背中心に合わせ且つ後身頃のほぼ全面にわたって後身頃に固着されており、残りの１ないし２本が左右の脇線１１ａ，１１ｂから背中心へ向けて所定の長さだけ非固着部をそれぞれ形成して後身頃に固着させる。【選択図】図１
0003138384.tif 000002
【実用新案登録請求の範囲】
【請求項１】
後身頃における所定の高さ位置に所定長さを有する２ないし３本の胸紐が固着されているとともに、前記胸紐は、１本が長さ方向の中心を背中心に合わせ且つ後身頃のほぼ全面にわたって後身頃に固着されており、残りの１ないし２本が左右の脇線から背中心へ向けて所定の長さだけ非固着部をそれぞれ形成して後身頃に固着されていることを特徴とする簡単かつ綺麗に着付けのできる着物。
【請求項２】
後身頃における所定の高さ位置に所定長さを有する２ないし３本の胸紐が固着されているとともに、前記各胸紐は、左右の脇線から背中心へ向けて所定の長さだけ非固着部をそれぞれ形成し且つ少なくとも１本が長さ方向の中心を背中心に合わせて固着されていることを特徴とする簡単かつ綺麗に着付けのできる着物。
【請求項３】
前記非固着部の長さが５〜２０ｃｍ程度であることを特徴とする請求項１または２記載の簡単かつ綺麗に着付けのできる着物。
【請求項４】
前記２本の胸紐を取り付ける後身頃における所定の高さ位置が、後身頃における身八口の高さ位置であることを特徴とする１，２または３記載の簡単かつ綺麗に着付けのできる着物。
【請求項５】
前記２ないし３本の胸紐の少なくとも１本が後身頃の表面に取り付けられていることを特徴とする請求項１，２，３または４記載の簡単かつ綺麗に着付けのできる着物。
【請求項６】
前記２ないし３本の胸紐が互いに重なる位置で固着されていることを特徴とする請求項１，２，３，４または５記載の簡単かつ綺麗に着付けのできる着物。
【請求項７】
前記後身頃の非固着部の部分に装着者の身体に合わせて着用可能な幅を有する縦方向のダーツを予め形成したことを特徴とする請求項１，２，３，４，５または６記載の簡単かつ綺麗に着付けのできる着物。
【請求項８】
上前身頃と下前身頃に連設されている衿の両衿先に一対の腰紐が外側方向へ向けて斜め上方に傾斜させた状態でそれぞれ取り付けられており、且つ前記上前身頃側の衿先に取り付けられた腰紐を通すループが右側の脇線から背中心へむけて設定した所定の幅方向位置である身八口よりも下で衿先よりも上方部位に、前記下前身頃側の衿先に取り付けられた腰紐を通す脇穴が左側の脇線から背中心へむけて設定した所定の幅方向位置である身八口よりも下で衿先よりも上方部位にそれぞれ少なくとも１つが設けられていることを特徴とする請求項１，２，３，４，５，６または７記載の簡単かつ綺麗に着付けのできる着物。
【請求項９】
前記後身頃に固着した２ないし３本の胸紐の内、少なくとも最外側に位置する胸紐の外側面に装飾が施されていることを特徴とする請求項１，２，３，４，５，６，７または８記載の簡単かつ綺麗に着付けのできる着物。
【考案の詳細な説明】
【技術分野】
【０００１】
本考案は、仕立ての着物であって、簡単かつ綺麗に着付けのできる着物に関するものである。
【背景技術】
【０００２】
従来、着物を着るには複数の腰紐や腰ベルト等の着付け具を用いて、衿合わせや褄の位置、おはしょりの形成などを考慮して着付けをしなければならず、熟練を要するとともに、着付けが充分でないと、着付けた後も着崩れが心配であるなど着付けの際の困難さが着物を着る機会が減少する要因の１つとなっている。
【０００３】
従来から簡単に着付けのできる着物が提案されており、例えば特公昭６３−５４８２号公報、特開２００３−８９９０３号公報、特開２００５−３４４２４４号公報、特開２００６−２２７０号公報、登録実用新案第３０６１９７５号公報等に提示されている。
【０００４】
ところが、前記公報に提示されている簡単に着付けのできる着物は、着物に取り付けた腰紐を紐通しに通すことにより簡単に着付けを行うようにしたものが殆どであり、衿合わせ、背中心の歪みや、後身頃の着皺をなくすなどのような上半身部分については考慮されていない。また、前記公報に提示されている着物の殆どは、例えば後身頃を切断したり、身丈を調整したもの、或いは上下に分割した二部式であるなど特異な着物であるためそれぞれ目的に合わせて特別に仕立てるなど必要があり、簡単かつ綺麗に着付のできる着物は提示されていない。
【０００５】
そこで、本願出願人は、先に、簡単かつ綺麗に着付のできる着物を提示した（実用新案登録第３１２０７３４号）。
【０００６】
前記実用新案登録第３１２０７３４号に提示した簡単かつ綺麗に着付けのできる着物は、仕立てられた着物において、後身頃における所定の高さ位置、好ましくは身八口の高さ位置に所定長さを有する２本の胸紐が後身頃のほぼ全幅にわたって固着した状態で取り付けたものであり、この内の内側の１本についてその端を左右の身八口を通して着物の内側に通し、襦袢と着物のそれぞれの後身頃を一体的に締結することにより後背中心から脇まで後身頃を美麗に安定させ、特に、胸紐をその中央が後身頃の背中心に合致するように固着しておくと鏡により確認することなしに胸紐の両端を身体の前で同じ長さに成るように引っ張れば背中心が背中の中心に位置することとなり、更に、前記腰紐の上におはしょりを形成した後、残りの胸紐を着物の上から結び全体を固定することにより簡単かつ綺麗に着付のできるというものである。
【０００７】
本考案は前記実用新案登録第３１２０７３４号に提示した簡単かつ綺麗に着付けのできる着物を更に改良したものであり、特に、仕立ての着物であっても体型によらずに身頃部分を更に綺麗に着付けることができる着物を提供するものである。
【特許文献１】特公昭６３−５４８２号公報
【特許文献２】特開２００３−８９９０３号公報
【特許文献３】特開２００５−３４４２４４号公報
【特許文献４】特開２００６−２２７０号公報
【特許文献５】登録実用新案第３０６１９７５号公報
【特許文献６】登録実用新案第３１２０７３４号公報
【考案の開示】
【考案が解決しようとする課題】
【０００８】
本考案は、熟練を要することなしに簡単かつ綺麗に着付けができる着物を提供するものであり、仕立てた着物の身幅に着用者の身体の胴回りの太さに関係なく綺麗に着付けるための重要な要素である背中心を正確に合わせること、衿元を揃えること、更には、裾搾りの褄先上がりにすること、更に、着用後の着崩れの心配のない着付けが行える着物の改良に関するものであり、特に着用者の身体に身幅が一致していない着物の場合にも更に綺麗に着付けのできる着物を提供するものである。
【課題を解決するための手段】
【０００９】
本考案である簡単かつ綺麗に着付けのできる着物は、後身頃における所定の高さ位置に所定長さを有する２ないし３本の胸紐が固着されているとともに、前記胸紐は、１本が長さ方向の中心を背中心に合わせ且つ後身頃のほぼ全面にわたって後身頃に固着されており、残りの１ないし２本が左右の脇線から背中心へ向けて所定の長さだけ非固着部をそれぞれ形成して後身頃に固着されていることを特徴とする。
【００１０】
本考案によれば、後身頃における身八口の高さ位置に所定長さを有する２ないし３本の胸紐を備え、この内の長さ方向の中心を背中心に合わせて固着した１本をその端を左右の身八口を通して着物の内側に通し、襦袢と着物のそれぞれの後身頃を一体的に締結することにより着物を襦袢の胸部に固定して衿元を揃え、後背中心から脇まで後身頃が安定し、特に、胸紐をその長さ方向の中心が後身頃の背中心に合致するように固着してあるので、胸紐の両端を身体の前で同じ長さに成るように引っ張れば背中心が背中の中心に位置することとなり、更に、前記腰紐の上におはしょりを形成した後、残りの胸紐を着物の上から結び全体を固定する。
【００１１】
特に、本考案では、少なくとも１本の胸紐が後身頃における脇線から背中心へ向けて所定の長さだけ非固着部をそれぞれ形成して固着されていることから、１本の腰紐の上におはしょりを形成した後、他の胸紐を着物の上から結び全体を固定する際に、身幅が身体に合致せずに余分なゆとり（弛み）があっても非固着部分において前身頃の両脇を身体に合わせてダーツ状に折り畳んで確実に押さえるなどして締め付けることができ、きわめて綺麗に着付けることができる。
【００１２】
尚、本考案において「脇線」とは脇縫を有する着物の場合には脇縫いを指し、脇縫を有していない着物の場合には着物の後身頃が上前身頃および下前身頃とつながっている部分の内、肩の線を除いた部分をいう。
【００１３】
また、本考案は、後身頃における所定の高さ位置に所定長さを有する２ないし３本の胸紐が固着されているとともに、前記各胸紐は、左右の脇線から背中心へ向けて所定の長さだけ非固着部をそれぞれ形成し且つ少なくとも１本が長さ方向の中心を背中心に合わせて固着されていることを特徴とする場合には、２ないし３本の胸紐が全て後身頃における両脇線から背中心へ向けて所定の長さだけ非固着部をそれぞれ形成して固着されている場合には１本の胸紐により最初に着物を固定する際に後身頃についても余分な後身頃の両脇を身体に合わせてダーツ状に折り畳んだ部分を確実に押さえた状態で締め付けることができ、一層調節範囲が広くなる。
【００１４】
前記非固着部の長さの範囲は５〜２０ｃｍ程度、好ましくは１３ｃｍ前後が最適であり、前身頃または後身頃の両脇を身体に合わせてダーツ状に折り畳んだ部分を有効に挟み込んで固定することができる。尚、非固着部の長さが余りにも長いと背中の部分に皺が多くなり美しくない。
【００１５】
また、胸紐を後身頃の表面に固着した場合には胸紐が後身頃を外側から包囲するので安定した着付けが可能であるとともに、後身頃を外側から支持するので後身頃の内側に配置した場合に比べて弱い固着力で固着すればよく、例えば胸紐を縫着する場合には比較的粗めであったり、縫い線の数を減らす等、制作が容易である。一方、胸紐を後身頃の裏面に固着した場合には外側から見えないので装着後に帯がずれたりしたとしても露出しないので美麗である点で優れている。
【００１６】
更に、２ないし３本の胸紐を重ねて縫着する場合には、一度の縫製で２本の胸紐を固着することができるので作製の手間を省くことができるが、２ないし３本の胸紐を重ねないで縫着する場合には身体に装着する位置が重ならないという利点がある。
【００１７】
更にまた、上前身頃と下前身頃に連設されている衿の両衿先に一対の腰紐が外側方向へ向けて斜め上方に傾斜させた状態でそれぞれ取り付けられており、且つ前記上前身頃側の衿先に取り付けられた腰紐を通すループが右側の脇線から背中心へむけて設定した所定の幅方向位置である身八口よりも下で衿先よりも上方部位に、前記下前身頃側の衿先に取り付けられた腰紐を通す脇穴が左側の脇線から背中心へむけて設定した所定の幅方向位置である身八口よりも上方部位に少なくとも一個ずつがそれぞれ設けられている場合には、上前身頃側の衿先に取り付けられた腰紐をループに、下前身頃側の衿先に取り付けられた腰紐を脇穴に通して褄先の位置を調整した後、背後に回して交差させ、それらの両端を前面に回した状態で両端を締結して所定の裾搾りの褄先上がりの着付けをすることができる。加えて、前記胸紐の最外側の外側面に装飾が施されている場合には或いは前記後身頃に固着した２本の胸紐の内の一方または双方の外側に飾り紐を重ねて固着した場合には、着付け後に帯がずれた場合に装飾した胸紐或いは飾り紐が露出するので見苦しくない。
【考案の効果】
【００１８】
以上、本考案によれば、熟練を要することなしに着物を簡単かつ綺麗に着付けができる。特に、着物を綺麗に着付けるための重要な要素である後身頃を皺のない安定した状態とし、奥衿や衿抜を揃えること、背中心が歪みなく、裾搾りの褄先上がりにすること、更に、着付け後における着崩れの心配もなく、殊に、前身頃や後身頃の余分な身幅部分を美しく収めて着用者の体型に関係なく美しく着付けることができる。また、本考案は、特別な装着具を必要とするものでなく安価に且つ簡単に作ることができる。従って、既成の着物をそのまま簡単に装着できるものであり、また、体型の異なる親族などから譲り受けたる着物を利用することもできる。
【考案を実施するための最良の形態】
【００１９】
次に、本考案の好ましい実施の形態を図面に基づいて詳細に説明する。
【００２０】
図１および図２は本考案の好ましい実施の形態を示すものであり、本考案である着物１は、下前身頃２、上前身頃３、後見頃４、両袖５，５および衿６を有して従来の仕立てられたものと同様に仕立てられている。尚、着物１は新たに仕立てても良いが、従来のものをそのまま用いることもできる。
【００２１】
そして、本実施の形態では、後身頃４の表面に２本の胸紐７，８が互いに重ねた状態で縫い着けることで取り付けられている。更に、詳しく説明すると、２本の胸紐７，８は同一の幅（例えば３〜５ｃｍ程度）と同一の長さ（例えば１５０〜２００ｃｍ程度）を有し、互いに重ね合わせた状態で後身頃４における身八口９，９の高さ位置（例えば衿下から２２〜３５ｃｍ程度の位置）に水平に配置されて一方（内側）の胸紐７は後身頃４のほぼ全幅にわたって両脇線１１ａ，１１ｂまで縫着されており、他方（外側）の胸紐８は後身頃４のほぼ全幅でなく、後身頃４の両脇線１１ａ，１１ｂから背中心へ向けて所定の長さＬだけ非固着部４２，４２をそれぞれ形成して縫着されている。
【００２２】
尚、本実施の形態は従来の普通仕立ての着物であり、脇線１１ａ，１１ｂは脇縫に該当するが、例えば洋服仕立ての着物の場合などのように脇縫が存在しない場合には、後身頃と上下の前身頃との境界線に当たる部分をいう。また、前記各非固着部４２の長さＬは５〜２０ｃｍ程度、好ましくは１３ｃｍ前後に形成されるとよい。
【００２３】
更に、胸紐７，８の中心７３，８３が後身頃４の背中心４１に合致するように取り付けられている。尚、背中心に縫い目がない着物の場合は、後身頃の幅方向の中心位置をいう。
【００２４】
下前身頃２、上前身頃３とに連設されている衿６の両衿先６１，６２に一対の腰紐１２，１３が外側方向へ向けて所定の角度（例えば５０〜６０度の角度）で斜め上方に傾斜させて縫着によりそれぞれ取り付けられている。尚、腰紐１２，１３は例えば９５〜１１０ｃｍ程度の長さであり、両衿先６１，６２の縫着位置は例えば裾１６から８０〜１１０ｃｍ程度の高さ位置が好ましい。
【００２５】
更に、右側の脇線１１ａにおける身八口９よりも下で衿先６１，６２よりも上方部位に前記上前身頃３側の衿先６２に取り付けられた腰紐１３を通すループ１４が、左側の脇線１１ｂにおける身八口９よりも下で衿先６１，６２よりも上方部位に前記下前身頃２側の衿先４２に取り付けられさた腰紐１２を通す脇穴１５が形成されている。尚、前記ループ１４および脇穴１５の形成位置は例えば裾１６から８７〜９７ｃｍ程度の位置が好ましく、また、ループ１４および脇穴１５自体の穴は例えば５〜７ｃｍ程度が好ましい。
【００２６】
次に、本実施の形態である着物１を用いた着付けについて順次説明する。
【００２７】
着付けをするには、まず、図３乃至図５に示すように襦袢１７を着用した状態で両袖５，５に腕を通して着物１をはおり、例えば下側（内側）に位置して後身頃の全幅に固着されている一方の胸紐７の両端７１，７２を身八口９，９にそれぞれ通過させて身体の前に通し、襦袢１７の前で胸紐７の両端７１，７２を締結し、着物１や襦袢１７の衿６、１８部分を安定した状態に固定する。
【００２８】
特に、このとき、胸紐７は長さ方向の中心７３が後身頃４の背中心４１に合致するように取り付けられているので、始めに胸紐７の両端７１，７２を身体の前で同じ長さになるように引っ張れば、図４に示すように、後身頃４の背中心４１を背骨の中心に位置させることができ背中心が歪んだ状態で装着される心配がない。同時に、胸紐７は後身頃４のほぼ全幅にわたって両脇線１１ａ，１１ｂまで縫着されているので、後身頃４が背中心４１から両脇線１１ａ，１１ｂまで着皺を発生させずに安定した綺麗な状態で被着することができる。
【００２９】
そして、次に、図６に示すように、下前身頃２側の衿先６１に取り付けられた腰紐１２を脇穴１５に通すとともに上前身頃２側の衿先６２に取り付けられた腰紐１３をループ１４に通し、両褄先１９，２０の高さ位置を調整した後、背後に回して交差させ（図示せず）、図７に示すように腰紐１２，１３を前面に回して互いに締結し、図８に示すように締結した腰紐１２，１３の上に上前身頃２，下前身頃３および後身頃４を弛ませた部分を所定の幅に折り込んでおはしょり２１を形成し、更に、他方の胸紐８を図９に示すように着物１の上から巻回して両端を締結して着付けを終える。特に、他方の胸紐８を装飾を施したものにすることによりその上に装着する帯（図示せず）が上下方向にずれて胸紐８が露出したとしても見苦しくない。
【００３０】
尚、本実施の形態では、腰紐１３を通すループ１４を右側の脇線１１ａに、腰紐１２を通す脇穴１５を左側の脇線１１ｂに形成したが、例えば、着用者が細身で着付ける着物の後身幅が広い場合にはループ１４および脇穴１５の位置が脇よりも前方に位置して装着しにくい場合が生じることがある。従って、このような場合にはループ１４および脇穴１５を、着物を着付けたときにループ１４や脇穴１５が身体の近くに位置するように脇線１１ａ，１１ｂからそれぞれ背中心方向へ向けた例えば１５ｃｍ程度の所定の幅Ｗ，Ｗの範囲内において固着しておくことにより（図２の鎖線で示した位置）、ループ１４および脇穴１５が着付者の各人に適した位置に配置されるので装着が容易であるとともに身幅が広い場合には弛みがでないのでより綺麗に着付けることができる。また、本説明では、始めに胸紐７を用いて背中心を合わせた後に、腰紐１２，１３を用いておはしょりを形成する装着順序を示したが、始めに腰紐１２，１３を用いておはしょりを形成してから胸紐７を用いて背中心を合わせても良い。更に、本実施の形態ではループ１４および脇穴１５をそれぞれ１つずつ形成した場合を示したが、少なくともループ１４については縦方向の位置をずらして複数個を並設させてもよく、子の場合には着付者の背丈に合わせて調節することができる。
【００３１】
更にまた、本実施の形態では、前記他方（外側）の胸紐８は、後身頃３における両脇線１１，１１から背中心４１へ向けて所定の長さだけ非固着部４２，４２をそれぞれ形成して固着されていることから、おはしょりを整えた後、外側の胸紐８を着物の上から結び全体を固定する際に、非固着部分４２，４２において身幅が広い場合に余った部分を身体に合わせてダーツ状に折り畳んだ部分を確実に押さえた状態で締め付けることができ、きわめて綺麗に着付けることができる。
【００３２】
以上のような本実施の形態につき着付けの時間を計ったところ、大人に限らず５〜６歳程度の子供であっても数回の試技の後、数分で着付けを完了することかできた。
【００３３】
特に、本実施の形態では、腰紐１２および腰紐１３を両衿先６１，６２に一対の腰紐１２，１３が外側方向へ向けて所定の角度で斜め上方に傾斜させてそれぞれ取り付けられているとともに、これらの腰紐１２および腰紐１３を通すループ１４および脇穴１５が所定の高さ位置に配置されているので、腰紐１２および腰紐１３をループ１４および脇穴１５に通すだけで、後は微細な調整をして締結することで、ほぼ予め定めた所定の裾搾りの褄先上がりの着付けが簡単にできる。
【００３４】
尚、本実施の形態は好ましい一例を示したものであり、本考案は本実施例に限るものではない。特に、胸紐７，８や腰紐１２，１３等の寸法、更に取り付け位置などは着用する者の身体や好みに合わせて適宜変更可能であり、材質や締結手段も問わず、例えば伸縮ベルトやベルベット式ファスナ（面ファスナ）のような装着容易なものであってもよい。
【００３５】
また、図１０は本考案における異なる実施の形態を示すものであり、前記実施の形態とほぼ同様の構造を呈するが、一方（内側）の胸紐７についても、後身頃３における両脇線１１，１１から背中心４１へ向けて所定の長さだけ非固着部４２，４２をそれぞれ形成して固着されていることから、着付けの際に、胸紐７の両端７１，７２を身八口９，９にそれぞれ通過させて身体の前に通して後身頃３の幅を身体に合わせて折り込むなどして調整した状態で装着することができる。
【００３６】
従って、装着者自身の体型に合わせて仕立てた着物でない標準的な寸法の着物であっても、身体に合わせて更にきれいに装着することができる。勿論予め大、中、小のように一定の範囲に適応する着物とした場合も同様である。
【００３７】
また、図１０に示した本考案における実施の形態において、前記後身頃４の非固着部４２，４２部分を装着者の体型に合わせて予め縦方向のタッグを縫製などの手段により形成しておくこと（図示せず）により、装着時に後身頃の余る部分がなく、従って、体型が合わない場合に生じる後身頃の余った部分の処理を必要としないので更に簡単に且つスッキリとした状態で着ることができる。
【００３８】
更に、図１１は本考案の更に異なる実施の形態を示すものであり、前記後身頃に固着した２本の胸紐の内、外側に位置する胸紐８の外側に胸紐８に重ねて飾り紐１０が固着されている点が異なる。この飾り紐１０は例えば三尺帯のようなものでよく、飾り紐１０がない場合に着物の上に装着した帯（図示せず）が上下方向にずれて外側に装着される胸紐８が露出するなど見苦しい事態が生じるが、飾り紐１０を設けることで飾り紐１０により胸紐８が隠れるので見苦しさが解消される。尚、この飾り紐１０の幅は胸紐８の幅よりも広い場合が好ましく、また、固着も飾り用であることから、縢り縫いのような縫い目が表面にでないような手段をもちいるとよい。
【００３９】
尚、前記実施の形態では何れも一方の胸紐７と他方の胸紐８とを重ねて固着した場合を示したが、一方の胸紐７と他方の胸紐８とを上下方向にずらした状態で後身頃に固着してもよく（図示せず）、この場合には前記２本の胸紐の結び目位置が重ならないので装着したときの外観並びに装着感が良い。
【図面の簡単な説明】
【００４０】
【図１】本考案の好ましい実施の形態を示す正面図。
【図２】図１に示した実施の形態の背面図。
【図３】図１に示した実施の形態の使用状態の一部を示す説明図。
【図４】図１に示した実施の形態の使用状態の一部を示す説明図。
【図５】図１に示した実施の形態の使用状態の一部を示す説明図。
【図６】図１に示した実施の形態の使用状態の一部を示す説明図。
【図７】図１に示した実施の形態の使用状態の一部を示す説明図。
【図８】図１に示した実施の形態の使用状態の一部を示す説明図。
【図９】図１に示した実施の形態の使用状態の一部を示す説明図。
【図１０】本考案の異なる実施の形態の一部を示す説明図。
【図１１】本考案の更に異なる実施の形態の一部を示す説明図。
【符号の説明】
【００４１】
１  着物、２  下前身頃、３  上前身頃、４  後身頃、５  袖、６  衿、７  胸紐、８  胸紐、９  身八口、１０  飾り紐、１１ａ，１１ｂ  脇線、１２  腰紐、１３  腰紐、１４  ループ、１５  脇穴、１６  裾、４１  背中心、４２  非固着部
【図１】
0003138384.tif 000003
【図２】
0003138384.tif 000004
【図３】
0003138384.tif 000005
【図４】
0003138384.tif 000006
【図５】
0003138384.tif 000007
【図６】
0003138384.tif 000008
【図７】
0003138384.tif 000009
【図８】
0003138384.tif 000010
【図９】
0003138384.tif 000011
【図１０】
0003138384.tif 000012
【図１１】
0003138384.tif 000013